(57)【要約】  本発明は、自動車（１）の運転者支援システム（２）によって、自動車（１）に対して規定された警告領域（１３）における車外物標（１２）の存在について、自動車（１）の運転者に警告するための警告信号を出力し、運転者支援システム（２）において、レーダセンサ（５、６）が、レーダセンサ（５、６）の連続する測定サイクルのそれぞれにおいて、レーダセンサ（５、６）の検知領域（９、１０）内に電磁レーダ信号を送信し、到来信号を受信するように使用され、受信信号は、レーダセンサ（５、６）によって物標（１２）を検出し、測定サイクルにわたって検知領域（９、１０）において物標を追跡するために使用され、警告信号は、物標（１２）が規定の警告領域（１３）に入れば、出力装置（３）によって出力される警告信号出力方法に関する。物標（１２）が警告領域（１３）に入った後、レーダセンサ（５、６）が、規定の近距離（１８）内の検知領域（９、１０）において物標（１２）または別の物標（１２）を検出する間、警告信号の出力は維持される。
2016508218.tif 000002
【特許請求の範囲】
【請求項１】
自動車（１）の運転者支援システム（２）によって、前記自動車（１）に対して規定された警告領域（１３）における車外物標（１２）の存在について自動車（１）の運転者に警告するための警告信号を出力し、前記運転者支援システム（２）において、
−レーダセンサ（５、６）が、前記レーダセンサ（５、６）の連続する測定サイクルのそれぞれにおいて、前記レーダセンサ（５、６）の検知領域（９、１０）内に電磁レーダ信号を送信し、前記物標（１２）によって反射されるレーダ信号を受信信号として受信するように使用され、
−前記受信信号は、前記レーダセンサ（５、６）によって前記物標（１２）を検出し、前記測定サイクルにわたって前記検知領域（９、１０）において前記物標を追跡するために使用され、
−前記警告信号は、前記物標（１２）が前記規定の警告領域（１３）に入れば、出力装置（３）によって出力される、
前記警告信号の出力方法であって、
前記物標（１２）が前記警告領域（１３）に入った後、前記レーダセンサ（５、６）が、規定の近距離（１８）内の前記検知領域（９、１０）において前記物標（１２）または別の物標（１２）を検出する間、前記警告信号の出力が維持されることを特徴とする警告信号出力方法。
【請求項２】
前記警告領域（１３）における前記物標（１２）の追跡と関係なく、または前記警告領域（１３）における前記物標（１２）の追跡を使用せずに、前記警告信号の前記出力が、前記レーダセンサ（５、６）が前記規定の近距離（１８）内において前記物標（１２）または別の物標（１２）を検出する間、維持されることを特徴とする、請求項１に記載の警告信号出力方法。
【請求項３】
前記警告領域（１３）が、前記自動車（１）の死角であることを特徴とする、請求項１または２に記載の警告信号出力方法。
【請求項４】
前記検知領域（９、１０）における前記物標（１２）の前記検出が、前記受信信号のレベルと検出しきい値とを比較することによって行われることを特徴とする、請求項１から３のいずれか一項に記載の検出信号出力方法。
【請求項５】
前記近距離（１８）は、２ｍから６ｍ、特に、３ｍから５ｍの値の範囲にある前記レーダセンサ（５、６）からの距離上限値まで伸びることを特徴とする、請求項１から４のいずれか一項に記載の警告信号出力方法。
【請求項６】
前記レーダセンサ（５、６）の測定サイクル内において、前記検知領域（９、１０）全体の複数のサブ領域（Ａ〜Ｇ）が、前記レーダセンサ（５、６）によって順に検知され、前記警告信号の前記出力は、前記レーダセンサ（５、６）が、少なくとも１つのサブ領域（Ａ〜Ｇ）、特に、少なくとも２つのサブ領域（Ａ〜Ｇ）において同時に、前記規定の近距離（１８）内における前記物標（１２）または別の物標（１２）を検出する間、維持されることを特徴とする、請求項１から５のいずれか一項に記載の警告信号出力方法。
【請求項７】
前記規定の近距離（１８）内の前記検出が、前記レーダセンサ（５、６）の少なくとも２つの距離分解能セルおよび／または少なくとも２つのドップラー分解能セルにおいて行われる間、前記警告信号の前記出力が維持されることを特徴とする、請求項１から６のいずれか一項に記載の警告信号出力方法。
【請求項８】
以下の２つの基準、すなわち、
−前記レーダセンサ（５、６）が、前記規定の近距離（１８）内の前記検知領域（９、１０）において前記物標（１２）または別の物標（１２）を検出しているか、および
−前記レーダセンサ（５、６）が、前記自動車（１）に対して規定され、前記警告領域（１３）とは異なる追跡領域（１４）において、少なくとも１つの物標（１２）を追跡しているか、
を同時に満たす間、前記物標（１２）が前記警告領域（１３）に入った後、前記警告信号の前記出力が維持されることを特徴とする、請求項１から７のいずれか一項に記載の警告信号出力方法。
【請求項９】
前記追跡領域（１４）が、前記車両長手方向（ｘ）において前記警告領域（１３）の後方に規定され、前記車両長手方向（ｘ）において前記警告領域（１３）に直接隣接することを特徴とする、請求項８に記載の警告信号出力方法。
【請求項１０】
前記車両長手方向（ｘ）における前記追跡領域（１４）の前記長さ（１７）が、５ｍから１５ｍ、特に、８ｍから１０ｍの値の範囲にあることを特徴とする、請求項８または９に記載の警告信号出力方法。
【請求項１１】
前記車両短手方向（ｙ）における前記追跡領域（１４）の前記幅（１６）は、１ｍから３ｍの値の範囲、特に、２ｍであり、および／または、前記警告領域（１３）の前記幅（１４）に相当することを特徴とする、請求項８または１０のいずれか一項に記載の警告信号出力方法。
【請求項１２】
自動車（１）に対して規定された領域（１３）に物標（１２）が存在する場合に警告信号を出力するように構成された自動車（１）用運転者支援システム（２）であって、前記運転者支援システム（２）は、レーダセンサ（５、６）であって、連続する測定サイクルのそれぞれにおいて、前記レーダセンサ（５、６）の検知領域（９、１０）内に電磁レーダ信号を送信し、前記物標（１２）によって反射されるレーダ信号を受信信号として受信し、前記受信信号を使用して前記物標（１２）を検出し、前記測定サイクルにわたって前記検知領域（９、１０）において前記物標を追跡するように構成されたレーダセンサ（５、６）と、前記物標（１２）が前記規定の警告領域（１３）に入れば、前記警告信号を出力するように構成された出力装置（３）とを備える運転者支援システム（２）であって、
前記出力装置（３）は、前記物標（１２）が前記警告領域（１３）に入った後、前記レーダセンサ（５、６）が、規定の近距離（１８）内の前記検知領域（９、１０）において前記物標（１２）または別の物標（１２）を検出する間、前記警告信号の出力を維持するように構成されることを特徴とする運転者支援システム（２）。
【請求項１３】
請求項１２に記載の運転者支援システム（２）を備える自動車（１）。
【発明の詳細な説明】
【技術分野】
【０００１】
本発明は、自動車に対して規定された警告領域における車外物標の存在について自動車の運転者に警告するために使用される警告信号を出力する方法に関する。連続する測定サイクルのそれぞれにおいて、レーダセンサの検知領域内に電磁レーダ信号を送信するためにレーダセンサが使用され、物標によって反射されたレーダ信号は、レーダセンサによって受信信号として受信される。受信信号は、レーダセンサによる物標の検出用に使用されるとともに、測定サイクルにわたって検知領域において前記物標を追跡するために使用される。物標が規定の警告領域に入ると、警告信号は、出力装置によって出力または開始される。さらに、本発明は、このような方法を実行するための運転者支援システムおよびこのような運転者支援システムを備えた自動車に関する。
【背景技術】
【０００２】
自動車用のレーダセンサ（自動車レーダセンサ）はすでに従来技術であり、およそ２４ＧＨｚまたはおよそ７９ＧＨｚの周波数で作動される。レーダセンサは、一般に、自動車の周囲において物標を検出するために使用され、自動車を運転する多くの面で運転者を支援する。本願では、特に、自動車の死角における物標の存在について運転者に警告するために使用される死角識別システム（死角警告）に着目している。
【０００３】
レーダセンサは、まず、物標と自動車との間隔を測定する。次に、レーダセンサは、物標に対する相対速度と、ターゲット角度として知られるもの、すなわち、物標までの仮想接続線と基準線、例えば、自動車の長手軸との間の角度との両方をさらに測定する。したがって、レーダセンサを使用すると、自動車に対する物標のそれぞれの現行位置を決定することができ、レーダセンサの検知領域において物標を追跡でき、すなわち、物標の相対位置は、レーダセンサの複数の測定サイクルにわたって継続的に決定されうる。「追跡動作」は、物標で検出された反射点が測定サイクルにわたって安定したままであればうまく動作する。
【０００４】
レーダセンサは、通常、バンパの後方、例えば、リアバンパの角領域のそれぞれに配置される。物標を検出するために、レーダセンサは、送信信号（電磁波）を送信し、この送信信号は、検出物標で反射され、レーダセンサによってレーダエコーとして受信される。本願では、特に、周波数変調連続波レーダセンサ（ＦＭＣＷレーダ）として知られるものに関係し、送信信号は、順に送信される周波数変調チャープ信号のシーケンス（バースト）を含む。したがって、レーダセンサの受信信号は、上述した測定変数に関して処理され評価されるこのような複数のチャープ信号も含む。これに伴い、受信信号は、まず、ベースバンドに変換され、次に、アナログ・ディジタル変換器によって複数のサンプルを有するディジタル受信信号に変換され、高速フーリエ変換（ＦＦＴ：Ｆａｓｔ  Ｆｏｕｒｉｅｒ  Ｔｒａｎｓｆｏｒｍａｔｉｏｎ）を用いて変換される。そして、サンプルは、電子計算機（ディジタル信号プロセッサ）によって、時間領域および／または周波数領域で処理される。
【０００５】
水平方向において、１５０°であってもよい比較的広い方位角範囲を典型的に検知するために、レーダセンサが使用される。このように、レーダセンサは、比較的大きな方位検知角を有し、これは、レーダセンサの視野または検知領域が、方位角方向における対応する幅のものであることを意味する。方位検知角は、前方センサ面に垂直に伸びるレーダ軸に対して通常対称であり、すなわち、方位検知角は、レーダ軸に対して、例えば、−７５°〜＋７５°で測定される。この方位検知領域は、レーダセンサによって順に照射または検知されるより狭いサブ領域に分割されてもよい。このため、一例として、送信アンテナのメインローブは、例えば、位相アレイ原理に基づいて、方位角方向に電子的に旋回する。この場合、受信アンテナは、全方位検知領域に及ぶ方位角方向の受信特性を有しうる。このようなレーダセンサは、例えば、独国特許出願公開第１０２００９０５７１９１（Ａ１）号から知られている。さらなるレーダセンサは、既知の米国特許出願公開第２０１１／０１６３９０９号によって明らかにされている。
【０００６】
このように、レーダセンサは、自動車の死角をモニタし、必要であれば、運転者に警告するように使用されうる。従来技術において、死角モニタリングの機能は、引用されたターゲット追跡に基づくものであり、すなわち、レーダセンサは、まず、物標、例えば、別の車両を検出し、この物標を検知領域において追跡する。物標が、死角に対応する規定の警告領域に入るとき、例えば、運転者自身の自動車を追い越すとき、警告信号が自動車に出力される。したがって、運転者は、死角における物標の存在について知らされる。レーダセンサの複数の測定サイクルにわたって物標を追跡できるようにするために、同一の物標に対して十分な数の未加工検出値を得る必要がある。すなわち、１つの特定の測定サイクルにおいて物標に対して検出された反射点が、後続の測定サイクルにおいても検出される必要があるということである。言い換えれば、物標を安定して追跡するということは、すなわち、各検出が、連続する測定サイクル間で距離および角度の点で安定したままの物標の反射点からのものであるということである。したがって、異なる測定サイクルで検出された反射点は、互いに関連したものである。
【０００７】
通常、反射点のみの検出は、周波数領域において起こる。１つ以上の物標での反射点は、受信スペクトルのピークで表される。ターゲットエコーおよび測定ノイズは、この場合、付加的に重畳される。測定ノイズは、周波数依存のものであり、周波数が高くなるほど増大する。「クラッタ」として知られるもの、すなわち、地面、草木および広がりのある基盤構造物からの望ましくない反射などは、周波数依存で有用な信号にさらなる干渉信号が重畳することを意味する。したがって、受信信号に存在する信号ピークまたはターゲットエコーは、しきい値検出器を用いて検出される。受信信号のレベルが検出しきい値を超えれば、検出が行われる。検出しきい値は、レーダセンサの動作中、特に、例えば、一定誤警報率（ＣＦＡＲ：ｃｏｎｓｔａｎｔ  ｆａｌｓｅ  ａｌａｒｍ  ｒａｔｅ）に基づいて適応判定される。この方法によれば、検出しきい値は、所定の要因によってノイズレベルを常に超えるように個別調整される。物標がない場合、ノイズ信号や干渉信号が検出しきい値を超えると、検出器が誤ってターゲットと検出してしまう。検出しきい値が干渉パワーに対して設定されれば、一定誤警報率、すなわち、検出しきい値を超える瞬間干渉信号の一定の確度が得られる。
【０００８】
受信信号におけるターゲットエコーの正確な周波数を高精度に決定するために、例えば、重心（ＣＯＧ：ｃｅｎｔｒｅ  ｏｆ  ｇｒａｖｉｔｙ）アルゴリズムが適用される。このアルゴリズムにより、レーダセンサの測定変数をより正確に推定できるため、物標の高精度な追跡が可能となる。
【発明の概要】
【発明が解決しようとする課題】
【０００９】
レーダセンサの場合、車両は広がりのあるターゲットであり、すなわち、レーダセンサの単一の距離分解能セルより大きなターゲットである。したがって、実際には、物標を追跡するとき、ひいては、警告信号を運転者に出力するときに問題が生じる。問題が起こる理由として、広がりのあるターゲットにより、複数の反射点が互いに干渉し合い、連続する測定サイクルにおける検出値が、距離および角度の点で比較的大幅に変動することが挙げられる。変動が過度である場合、データの関連付け、ひいては、物標の正確な追跡が誤動作する。車両の反射挙動は、複数の距離分解能セルにわたって分布する複数の基本反射によってモデリングされえ、これらの複数の距離分解能セルは、ある程度、互いに重畳し、単一の分解能セル内において互いに干渉する。ターゲットがレーダセンサの分解能セルよりも小さければ、すべての基本リフレクタは、互いに干渉する。結果的に得られるターゲットモデルは、反射率、ひいては、レーダセンサにおける信号振幅がランダム分布に基づいて変動するポイントターゲットを表す。物標が、車両の場合のように、単一の距離分解能セルよりも大きければ、個々の分解能セルにおける信号振幅が変動するだけでなく、上述したＣＯＧアルゴリズムにおいて測定されたターゲット距離が、隣接する反射群の間で変動する。基礎反射そのものは、車両の表面上を移動しうる。
【００１０】
車両での反射と測定反射の移動とが干渉すると、追跡アルゴリズムの入力で可能な安定した検出値が断続的に存在しないことになり、すなわち、測定データは、連続する測定サイクルにおいて反射点を互いに有意に関連付けることができない程度まで変動する。
【００１１】
この問題は、大型輸送車（ＨＧＶ）が自動車と並んで走行しており、自動車の死角にあるとき、特に顕著である。また、国によっては、ＨＧＶがアンダーライド防護を備える必要がなく、さらに、ＨＧＶの中にも、例えば、「トレーラトラック」として知られるものなどのように、レーダセンサのレベルでトレーラの下の中央領域には反射部が存在しないものもあるということにより、上述した問題はさらに深刻になる。レーダセンサは、ＨＧＶの下側部分からの弱い反射を特定できるが、連続する測定サイクルにおける反射点の関連付けは、常に保証されるとは限らない。したがって、このようなＨＧＶの場合、近距離（２ｍ〜５ｍ）でのレーダセンサの感度が比較的低いということは、すなわち、アンダーライド防護がない場合にＨＧＶからの弱い反射が検出できないということであり、これは依然として問題である。
【００１２】
ターゲット追跡に問題があることの影響は、運転者への警告信号の出力が常に安定しないということである。アラームが一時的に誤動作し、または安定しないことにより、運転者を混乱させるという影響を及ぼし、運転者の気を散らしてしまう可能性もある。
【００１３】
本発明の目的は、冒頭に記載したタイプの方法の場合において、自動車の周囲の警告領域における物標の存在について、自動車の運転者に対して特に高い信頼性で警告を出すことができる方法についての解決策を示すことである。
【課題を解決するための手段】
【００１４】
本発明は、独立請求項のそれぞれに記載の特徴を備えた方法、運転者支援システムおよび自動車によって上記目的を達成する。本発明の好適な実施形態は、従属請求項、本願明細書および図面に示す発明の主題である。
【００１５】
本発明による方法は、自動車に対して規定された警告領域における物標の存在について自動車の運転者に警告するように、自動車の運転者支援システムによって使用される警告信号を出力するために使用される。運転者支援システムは、レーダセンサの連続する測定サイクルのそれぞれにおいて、レーダセンサの検知領域内に電磁レーダ信号を送信し、物標によって反射されるレーダ信号を受信信号または受信エコーとして受信するために使用されるレーダセンサを備える。受信信号は、測定サイクルにわたって、物標を検出し、検知領域において前記物標を追跡するために使用される。物標が規定の警告領域に入ると、自動車の車内において警告信号を出力するために出力装置が使用される。物標が警告領域に入った後、レーダセンサが、規定の近距離内の検知領域において物標または別の物標を検出する間、警告信号の出力は維持される。
【００１６】
このように、物標が規定の警告領域に入るとすぐに、警告信号の出力が行われるのではなく、または物標の追跡に基づいてのみ行われるのではなく、警告信号は、レーダセンサによる検出が、規定の近距離内において行われているか、すなわち、レーダセンサの規定数の第１の距離分解能セル内において行われているか否かに基づいて維持され、そして、この場合は特に、受信信号の振幅、すなわち、検討対象の距離分解能セルの周波数ビンとして知られるものが、規定の検出しきい値を超えているかに基づいて維持される。したがって、警告信号は、物標がレーダセンサの警告領域に入った後、レーダセンサが、規定の範囲内において何らかの反射点を検出する間、出力される。規定の近距離にターゲットが含まれれば、ターゲットはレーダセンサによって検出され、この警告領域内への物標の追跡が不要となる。近距離検出は、警告信号を維持するために使用可能であるが、警告信号をこの検出自体が引き起こすわけではない。なぜなら、近距離検出は、物標の正確な位置ではなく、近距離における物標の存在を推測するだけであるためである。本発明による方法によって達成される効果は、警告領域における物標の存在について運転者に確実に警告を与えることができることである。アラームが一時的に誤動作したり動作が不安定であると、運転者も現在の道路状況から気をそらせないことを意味する。
【００１７】
一実施形態において、警告信号は、警告領域における物標の追跡とは関係なく、またはこの追跡を使用することもなく維持される。このように、近距離にある未加工検出値のみが、警告信号の出力が維持されているか否かを決定できる。したがって、物標の追跡や警告領域内における反射点の追跡が不要になる。
【００１８】
警告領域は、自動車の死角であることが好ましい。好ましくは、警告領域は、自動車の傍に規定され、特に、自動車の側面に直接隣接して規定される。車両横断方向における警告領域の幅は、例えば、２ｍであってもよく、車両長手方向における警告領域の長さは、例えば、７ｍであってもよい。車両長手方向に見た場合、警告領域は、好ましくは、自動車の後端の前方２ｍから始まり、好ましくは、自動車後方５ｍで終わる。したがって、運転者は、実際に危険を与えうる物標について警告を受ける。不要なアラーム信号が回避される。
【００１９】
レーダセンサの検知領域における物標または反射点の検出は、好ましくは、受信信号のレベルと検出しきい値とを比較することによって行われる。受信信号の振幅が検出しきい値を超えると、検出値が得られる。また、検出しきい値は、レーダセンサの動作中に上述したＣＦＡＲ方法に基づいて動的に個別調整されうる。
【００２０】
未加工検出値を求める規定の近距離は、２ｍから６ｍの値の範囲、特に、３ｍから５ｍの値の範囲にあるレーダセンサからの距離上限値まで広がりうる。近距離の距離上限値は、例えば、４ｍであってもよい。反射点がレーダセンサによってこの距離上限値まで検出されれば、警告信号の出力は維持される。必要であれば、距離下限値を規定することもでき、この距離下限値を超えると、警告信号が維持される。この距離下限値は、例えば、０．５ｍから１ｍの値の範囲のものであってもよい。規定の近距離の距離限界値を上述したように選択することによって得られる効果は、自動車の関連する周囲領域に実際に物標が存在する間、警告信号の出力を維持するという効果である。このようにして、運転者には、特に、運転者支援システムによって自動車を運転する際の効果的な支援が与えられる。
【００２１】
レーダセンサの検知角度またはビーム角度、特に、ビーム方位角は、複数の角度サブ領域に分割されてもよく、レーダセンサの測定サイクル内において、検知領域全体の複数のサブ領域が、レーダセンサによって順に、すなわち、特に、方位角方向に検知される。一例として、これは、レーダセンサの送信アンテナおよび／または受信アンテナのメインローブが、比較的狭いメインローブで全体的に広い検知領域を検知可能にするために、特に方位角方向に電子的に旋回されることを意味する。レーダセンサが規定の近距離内の少なくとも１つのサブ領域、特に、規定の近距離内の少なくとも２つの、好ましくは、直接隣接するサブ領域において反射点を検出する限り、警告信号の出力は維持されることが好ましい。警告信号を維持するために、この場合、検知領域全体のすべてのサブ領域または反射のためのサブ領域のサブセットのみのいずれかをモニタすることが可能である。このように、規定の近距離の角度幅は、詳細には、警告信号を維持するために、すなわち、反射点のために探索されるべきサブ領域を適切に選択することによって調節可能である。
【００２２】
警告信号の維持も合理化されうる。すなわち、警告信号の出力は、規定の近距離内の検出が、レーダセンサの少なくとも２つ、特に直接隣接する距離分解能セルにおいて行われる間、維持されうる。さらに、または他の形態において、規定の近距離内の検出が、少なくとも２つ、特に、直接隣接するドップラー分解能セルにおいて行われる間、警告信号が維持されるようにされてもよい。したがって、警告信号は、近距離における検出が、実際に存在する物標、特に、他の車両のものとされうる場合のみ維持される。
【００２３】
警告信号の維持にさらなる基準が規定されてもよい。すなわち、物標が警告領域に入った後、警告信号の出力は、以下の２つの基準が同時に満たされている限り維持され、すなわち、第１の基準として、レーダセンサが規定の近距離における何らかの物標を検出する限り、および第２の基準として、レーダセンサが、自動車に対して規定され、警告領域とは異なる追跡領域において物標上の少なくとも１つの反射点を追跡する限り維持される。このように、警告領域の他に、さらなる追跡領域が自動車の周囲に規定され、警告領域は、第１の基準の他に、さらに、この追跡領域が、レーダセンサによって追跡される現在安定した反射点であって、レーダセンサに対して現行位置が既知である反射点を含むという第２の基準も満たされた場合のみ、警告信号が維持される。したがって、追跡領域は、特定の基準、例えば、所定の測定サイクル数の間、すでに存在していたこと、および／または、ゼロより大きな絶対速度を有していること、および／または規定の距離より長く移動したことなどの基準を満たす少なくとも１つの有効化された反射点（追跡）を含む必要がある。追跡領域を規定することにより、自動車の運転者に、死角にある、特に、大型輸送車などの大型車について特に高い信頼性で警告を出すことができる。ＨＧＶなどの大型の物標の場合、多数の検出点が、多くの場合に車両の後部に存在する。大多数の場合、警告領域外にある追跡可能な複数の検出点は存在する。その理由は、このようなＨＧＶが、レーダセンサの多数の分解能セルにわたって延伸する特に広がりのある物標であるためである。このようなＨＧＶが警告領域に入ると、ＨＧＶの１つの領域のみが警告領域内にあり、ＨＧＶのより広い部分は警告領域外にある。そして、警告領域外にあるＨＧＶの当該領域は、レーダセンサによって追跡可能な反射点を生じる。
【００２４】
この種の広がりのある車両の場合でも、危険性について可能な限り高い信頼性で完全に運転者に警告するために、一実施形態において、追跡領域が、車両長手方向において警告領域の後方に規定され、車両長手方向において警告領域と直接隣接するように設けられる。車両長手方向における追跡領域の長さは、５ｍから１５ｍ、特に、８ｍから１０ｍの値の範囲にあってもよい。長さは、例えば、９ｍであってもよい。一方で、車両短手方向における追跡領域の幅は、１ｍから３ｍの値の範囲のものであってもよく、特に、２ｍであってもよい。このように、追跡領域の幅は、警告領域の幅に相当しうる。
【００２５】
さらに、本発明は、本発明による方法を実行するように構成された運転者支援システムに関する。本発明による自動車、特に、車は、本発明による運転者支援システムを備える。本発明による方法を参照して提示される好ましい実施形態および当該好ましい実施形態の利点は、本発明による運転者支援システムおよび本発明による自動車に対して対応して有効である。
【００２６】
本発明のさらなる特徴は、特許請求の範囲、図面および図面の説明から明らかになるであろう。上記説明において記載したすべての特徴および特徴の組み合わせ、ならびに以下の図面の説明に記載および／または図面のみに示されるすべての特徴および特徴の組み合わせは、それぞれ、示された組み合わせだけでなく、他の組み合わせなど、独自の組み合わせであってもよい。
【００２７】
以下、好ましい例示的な実施形態を用いて、添付の図面を参照しながら、本発明についてさらに詳細に説明する。
【図面の簡単な説明】
【００２８】
【図１】本発明の一実施形態によるレーダセンサを備えた自動車の概略図。
【図２】詳細に説明される本発明の一実施形態による方法を用いる自動車の概略図。
【発明を実施するための形態】
【００２９】
図１に示す自動車１は、例えば、車である。自動車１は、自動車１の運転時に運転者を支援する運転者支援システム２を備える。運転者支援システム２は、死角における物標の存在について運転者に警告するように構成された死角モニタリングシステムである。運転者支援システム２は、自動車１のリアバンパ４の裏側に隠して配設された２つのレーダセンサ５、６を含む。第１のレーダセンサ５は、後方左手側の角領域に配設され、第２のレーダセンサ６は、自動車１の後方右手側の角領域に配設される。レーダセンサ５、６は共にバンパ４の裏側にあるため、自動車１の外側からは見えない。運転者支援システム２は、レーダセンサ５、６に電気的に接続され、運転者に警告信号を出力するように構成された出力装置３をさらに備える。警告信号は、例えば、可聴アラームおよび／または視覚ディスプレイであってもよい。警告信号は、死角における物標の存在について運転者に警告するために使用される。
【００３０】
例示的な実施形態において、レーダセンサ５、６は、周波数変調連続波レーダセンサ（ＦＭＣＷ）である。レーダセンサ５、６は、図１において、２本の線７ａ、７ｂ（左手側レーダセンサ５に対して）および２本の線８ａ、８ｂ（右手側レーダセンサ６に対して）によって境界が定められた方位検知領域φをそれぞれ有する。方位検知角φは、例えば、１５０°である。この方位検知角φは、方位角方向、ひいては、水平方向におけるそれぞれのレーダセンサ５、６のそれぞれの視野または検知領域９または１０を規定する。視野９、１０には重複部分がある場合があり、その結果、重複領域１１が存在する。
【００３１】
各レーダセンサ５、６は、レーダセンサ５、６を作動させて、受信信号をさらに処理し評価する統合型計算機、例えば、ディジタル信号プロセッサの形態の統合型計算機を含む。あるいは、２つのセンサ５、６に共通し、２つのセンサ５、６からの受信信号を処理しうる外部計算機を設けることもできる。
【００３２】
それぞれの視野９、１０において、レーダセンサ５、６は、車外物標１２ａ（左側）および１２ｂ（右側）を検知しうる。特に、レーダセンサ５、６は、それぞれのレーダセンサ５、６から物標１２ａおよび１２ｂの距離と、自動車１に対する物標１２ａおよび１２ｂのそれぞれのターゲット角度および相対速度とを決定でき、これらは、レーダセンサ５、６からの測定変数である。
【００３３】
図１をさらに参照すると、レーダセンサ５（センサ６も同様）は、方位角視野９のさまざまなサブ領域Ａ、Ｂ、Ｃ、Ｄ、Ｅ、Ｆ、Ｇを連続して照射しうる。これらのサブ領域Ａ〜Ｇは、角度範囲であり、サブ領域Ａ〜Ｇを連続して検知するために、レーダセンサ５の送信アンテナの送信ローブは、例えば、方位角方向に、すなわち、位相アレイ原理に基づいて電子的に旋回される。図１には、異なる向きの送信ローブが、異なる領域Ａ〜Ｇごとに概略的に示されている。方位角方向において、レーダセンサ５の受信アンテナは、全体として全方位角視野９に及ぶ広い受信特性を有しうる。あるいは、他の改良例として、広い送信ローブとともに狭い受信角度範囲を提供することもできる。
【００３４】
明確にするために、図１は、第１のレーダセンサ５の視野９のサブ領域Ａ〜Ｇしか示していない。しかしながら、この場合、第２のレーダセンサ６の水平視野１０も複数のサブ領域に分割されている。以下の記載は、第１のセンサ５の動作に関するものであるが、第２のセンサ６の動作は、第１のセンサ５の動作に対応する。
【００３５】
サブ領域Ａ〜Ｇの数は、図１に一例として示しているにすぎず、実施形態に応じて異なるものであってもよい。例示的な実施形態では、全部で７つのサブ領域Ａ〜Ｇが与えられ、レーダセンサ５によって順に照明される。あるいは、このような「ビーム」が４つ与えられてもよく、または、１つのみの「ビーム」が与えられてもよい。
【００３６】
レーダセンサ５の動作は、以下の通りである。レーダセンサ５の１回の測定サイクルにおいて、送信アンテナのメインローブは、サブ領域Ａからサブ領域Ｇまで１つずつ段階的に旋回されることで、サブ領域Ａ〜Ｇが順に照明される。各サブ領域Ａ〜Ｇに対して、時間シーケンスの周波数変調チャープ信号（チャープ）がそれぞれ送信される。まず、チャープ信号のこのようなシーケンスは、サブ領域Ａに対して送信される。規定の送信中断後、チャープ信号のシーケンスがサブ領域Ｂに送信される。さらなる規定の送信中断後、サブ領域Ｃが照明され、以下同様である。
【００３７】
図２は、警告領域１３および追跡領域１４が自動車１の周囲に規定された、自動車１の平面図を示す。警告領域１３は、自動車１の死角に相当する。明確にするために、警告領域１３は、自動車１の左手側のもののみ示されているが、右手側にも対応する領域が規定され、レーダセンサ６として検知される。
【００３８】
警告領域１３の車両長手方向ｘの長さ１５は、例えば、７ｍである。警告領域１３は、自動車１の後縁部またはバンパ４から見た場合、まず、例えば、２ｍ前方に伸び、５ｍ後方に伸びる矩形領域である。車両横断方向ｙの警告領域１３の幅１６は、例えば、２ｍである。
【００３９】
また、追跡領域１４は、車両長手方向ｘにおいて警告領域１３と後部にて直接隣接する矩形領域である。追跡領域１４の長さ１７は、例えば、９ｍであってもよく、すなわち、追跡領域１４は、自動車１の後方１４ｍの距離で終了する。追跡領域１４の幅は、同様に、２ｍである。
【００４０】
以下、本発明の一実施形態による方法についてさらに詳細に説明する。レーダセンサ５は、例えば、追跡領域１４にある物標１２ａ（図１）を検出するために使用される。この物標は、例えば、ＨＧＶである。この場合、送信レーダ波は、ＨＧＶの複数の反射点で反射される。反射点は、同じ物標、すなわち、ＨＧＶに関連する。レーダセンサ５は、複数の測定サイクルにわたって物標を追跡する。そして、物標は、警告領域１３に入る。出力装置３は、警告信号の出力を（例えば、連続的または非連続的に）開始する。警告領域１３にある物標は、さらに追跡される必要はない。物標が警告領域１３に入った後、レーダセンサ５は、図２には概略的にしか示されていない規定の近距離１８に少なくとも１つの反射点が存在するか否かを検証する。このようにして、しきい値を超えているかに関して、反射、ひいては検出が近距離１８において実際に起きているか否かを決定するために検証が実行される。この基準、さらには、少なくとも１つの反射点が追跡領域１４においてレーダセンサ５に現在追跡されているという状況が満たされれば、警告信号の出力が維持される。近距離１８において検出が起こらず、または追跡領域１４において反射点（追跡）が追跡されていない場合のみ、警告信号の出力が中断される。
【００４１】
近距離１８における検出とは、特に、センサ５からの所定の距離内において、ターゲットエコーが検出しきい値を超えたある種の反射点が実際に検出されていることを意味する。近距離１８の角度範囲に関して、すべてのサブ領域Ａ〜Ｇが反射点に対して検討され、またはサブ領域Ａ〜Ｇのサブセットのみが考慮されうる。一例として、中央サブ領域Ｂ〜Ｆのみが検討されてもよい。
【００４２】
一例として、近距離１８は、レーダセンサ５から、例えば、２．４ｍ〜４ｍの距離上限値で終了する。これは、レーダセンサ５の前２つ、３つ、４つ、または５つの距離分解能セルに相当しうる。
【００４３】
このようにして、有効化された反射点、すなわち、すでに早めに追跡され、そのような追跡に際し、所定の基準を満たす反射点、例えば、所定の期間すでに追跡された反射点、および／または、ゼロより大きい絶対速度を有する反射点、および／または、所定の距離より長く移動した反射点などの反射点が警告領域１３に入るとすぐに、警告信号が作動される。このような反射点が警告領域１３に入ると、第１に、ある種の反射点が近距離において検出される限り、第２に、追跡領域１４において少なくとも１つの反射点が現在追跡されている、すなわち、現在の位置がすべてレーダセンサ５において既知である限り、警告信号が出力される。
【００４４】
上記第１の基準は、検出が同時に起こるという状況、すなわち、同一の測定サイクル内において、いずれも所定の近距離１８内にある少なくとも２つの隣接するサブ領域Ａ〜Ｇのそれぞれにおいて同時に検出が起こるという状況で具現化されうる。また、この基準は、さらに改良されてもよく、すなわち、レーダセンサ５の少なくとも２つの距離分解能セルおよび／またはドップラー分解能セルにおける同時検出が要求されるように改良されてもよい。
【図１】
2016508218.tif 000003
【図２】
2016508218.tif 000004
【国際調査報告】
2016508218.tif 000005
2016508218.tif 000006
2016508218.tif 000007
2016508218.tif 000008
2016508218.tif 000009
2016508218.tif 000010